(57)【特許請求の範囲】
【請求項１】
必要事項が記入された航空券から必要事項を読み取る読み取り手段と、
顧客の情報を入力する入力手段と、
前記読み取り手段及び前記入力手段からの情報に基づいて、顧客の手荷物に取り付けるメモリを備えたバゲッジタグに必要事項をプリントし、且つ前記バゲッジタグの前記メモリに必要事項を記憶するバゲッジタグ発行装置において、
前記必要事項の情報に基づき、
広告を選択して前記バゲッジタグにプリントする制御手段を更に設けたことを特徴とするバゲッジタグ発行装置。
【請求項２】
前記制御手段は前記広告に関する情報を記憶する記憶手段を備え、
前記記憶手段は前記広告に関する情報のアクセス回数を記憶する記憶部を含むことを特徴とする請求項１に記載のバゲッジタグ発行装置。
【請求項３】
前記記憶手段は前記広告に関する情報が選択される為の識別情報を記憶する識別情報記憶部を含むことを特徴とする請求項２に記載のバゲッジタグ発行装置。
【請求項４】
必要事項が記入された航空券から必要事項を読み取る読み取り工程と、
顧客の情報を入力する入力工程と、
前記読み取り工程及び前記入力工程からの情報に基づいて、顧客の手荷物に取り付けるメモリを備えたバゲッジタグに必要事項をプリントし、且つ前記バゲッジタグの前記メモリに必要事項を記憶するバゲッジタグ発行方法において、
前記必要事項の情報に基づき、広告を選択して前記バゲッジタグにプリントする制御工程を更に設けたことを特徴とするバゲッジタグ発行方法。
【請求項５】
前記制御工程は前記広告に関する情報を記憶する記憶工程を備え、前記記憶工程は前記広告に関する情報のアクセス回数を記憶する記憶工程を含むことを特徴とする請求項４に記載のバゲッジタグ発行方法。
【請求項６】
前記記憶工程は前記広告に関する情報が選択される為の識別情報を記憶する識別情報記憶工程を更に含むことを特徴とする請求項５に記載のバゲッジタグ発行方法。
【発明の詳細な説明】
【０００１】
【発明の属する技術分野】
この発明は、搭乗券の発券とそれに使用するバゲジタグ発行および取り扱いに関する。詳しくは、タグ付き搭乗券を使用して、航空会社のカウンタ等で情報を基に容易に搭乗券およびバゲッジタグの発行ができるシステム、方法およびプログラム等に関する。
【０００２】
【従来の技術】
従来、飛行機の利用者は、以下のような手順にしたがって、搭乗便を予約して搭乗していた。
（１）飛行機の利用者は、航空券を購入する。
（２）航空券を購入する利用者は、購入時に、搭乗便を予約するとともに、氏名等の申請をおこなって、搭乗便等が印字されている航空券を受け取る。
（３）搭乗便を予約した利用者は、空港に行き、チェックインカウンタで、搭乗手続きをおこなって、搭乗券を受け取る。
（４）搭乗券を受け取った利用者は、航空機に搭乗し搭乗券に示されている席につく。
【０００３】
しかし、空港において、旅客が持参したスーツケースなどの荷物は、空港ビル内の搭乗者受付チェックインカウンタにおいて係員が預かり、搭乗する航空機の駐機位置まで運搬し、当該航空機の荷物格納庫内に格納される。
【０００４】
このような、搭乗者受付チェックインカウンタにおいて旅行者から預かった荷物を、搭乗する航空機の駐機位置まで運搬する場合、従来次のようにして行われていた。即ち、荷物を、搭乗者受付チェックインカウンタ付近に設けられたコンベア等によって、空港ビルの１階に設けられた荷物集積場所まで運搬する。次いで、これを荷物集積場所に待機している数両の台車に積み込み、この台車を駆動車により牽引して、搭乗する航空機の駐機位置まで地上輸送する。次いで、台車から荷物を積み降ろし、搭乗する航空機の荷物格納庫内にこれを格納する。
上述したように、従来、航空機に対する荷物の荷積みは、荷物集積場所において、荷物を数両の台車に積み込み、この台車を駆動車により牽引して、搭乗する航空機の駐機位置まで地上輸送することにより行われている。
【０００５】
このように、荷物を満載した数両の台車を、駆動車により牽引して、空港ビルと航空機駐機場所との間を往復移動させることは、１日に離着陸する航空機の台数が非常に多い空港において、極めて危険であり、また、荷物の台車への積み込みおよび台車からの積み降ろしのために、多くの時間および作業員を必要とし、作業能率が悪い等の問題があった。
【０００６】
更に旅客航空においては、座席へ持ち込むと邪魔になるような手荷物を持参する搭乗者のため、機内に客室の他に手荷物収納庫を設けている。このため搭乗者はチェックインの際に手荷物を預け、その後手荷物は原則として搭乗者から離れて搭乗機への積載作業が行われることとなる。一方、空港においては、旅客便に乗り込む搭乗者について安全チェックを行うことはもちろん、搭乗者が預けた手荷物についても安全チェックを行い、運行の安全や犯罪の防止を図っている。
【０００７】
そこで手荷物を預けた後に該当手荷物の安全チェックを行う従来の空港における手荷物受入処理では、手荷物の安全チェックの結果合格した手荷物については搭乗機ごとの仕分けを実施して搭乗機への積載を行うようにしていた。
【０００８】
また、チェックに合格した手荷物については搭乗機ごとの仕分けに回されそのまま機へ積載されてしまうが、その後その手荷物の所有者が現れないまま出発時刻に至ってしまう場合がある。この場合には出発する前にその者の手荷物を降ろさなければならない。搭乗者でない者の荷物を運んでしまうことは、犯罪等に利用されるおそれがあるからである。仮にそのようなおそれがなくても、便の間違いによるものであればその荷物と所有者との再会が面倒であり、手荷物積載の時点ではそのようなことは考慮していないので、降ろすべき手荷物が収納庫の奥方に収納されていることがあり、その場合には引き出し作業が大変に煩雑になってしまう。
【０００９】
【発明が解決しようとする課題】
本発明は、このような問題点を解決するためになされたものであり、手荷物についての処理を効率化した手荷物受入処理方法及びそのシステムを提供することを目的とする。
【００１０】
さらには、搭乗することが確実となった者の手荷物を庫内に積載することにより、一旦積載した荷物の引き降ろしの必要が生じないようにした手荷物受入処理方法及びそのシステムを提供することを目的とする。
【００１１】
【課題を解決するための手段】
本発明請求項１によるバゲッジタグ発行装置は、
必要事項が記入された航空券から必要事項を読み取る読み取り手段と、
顧客の情報を入力する入力手段と、
前記読み取り手段及び前記入力手段からの情報に基づいて、顧客の手荷物に取り付けるメモリを備えたバゲッジタグに必要事項をプリントし、且つ前記バゲッジタグの前記メモリに必要事項を記憶するバゲッジタグ発行装置において、
前記必要事項の情報に基づき、広告を選択して前記バゲッジタグにプリントする制御手段を更に設けたことを特徴とする。
【００１２】
本発明請求項２によるバゲッジタグ発行装置は、
請求項１における前記制御手段は、
前記広告に関する情報を記憶する記憶手段を備え、前記記憶手段は前記広告に関する情報のアクセス回数を記憶する記憶部を含むことを特徴とする。
【００１３】
本発明請求項３によるバゲッジタグ発行装置は、
請求項２における前記記憶手段は、前記広告に関する情報が選択される為の識別情報を記憶する識別情報記憶部を含むことを特徴とする。
【００１４】
又、本発明請求項４によるバゲッジタグ発行方法は、
必要事項が記入された航空券から必要事項を読み取る読み取り工程と、
顧客の情報を入力する入力工程と、
前記読み取り工程及び前記入力工程からの情報に基づいて、顧客の手荷物に取り付けるメモリを備えたバゲッジタグに必要事項をプリントし、且つ前記バゲッジタグの前記メモリに必要事項を記憶するバゲッジタグ発行方法において、
前記必要事項の情報に基づき、広告を選択して前記バゲッジタグにプリントする制御工程を更に設けたことを特徴とする。
【００１５】
本発明請求項５によるバゲッジタグ発行方法は、
請求項４における前記制御工程は前記広告に関する情報を記憶する記憶工程を備え、前記記憶工程は前記広告に関する情報のアクセス回数を記憶する記憶工程を含むことを特徴とする。
【００１６】
本発明請求項６によるバゲッジタグ発行方法は、
請求項５における前記記憶工程は前記広告に関する情報が選択される為の識別情報を記憶する識別情報記憶工程を更に含むことを特徴とする。
【００２７】
【発明の実施の形態】
（第1の実施例）
図１は、本発明によるバゲッジタグ発行及び認証システムの実施例を説明するための構成概略図である。図１に示すように、空港のチェックインカウンタ（１００）で搭乗者の荷物を預かる際に、荷物の識別を行うためのRFIDタグ内蔵バゲッジタグ（１０５）を発行するために、バゲッジタグ発行用クライアントコンピュータ（１０４）に接続されたRFID通信機能搭載プリンタ（１０３）を使用してバゲッジタグ（１０５）の発行を行う。
【００２８】
バゲッジタグ（１０５）発行時、搭乗券を購入した際に登録されている搭乗者の個人情報をホストコンピュータ（１０６）のデータベースから取得し、図８に示すバゲッジタグ（１０５）に印刷する広告データを選別し、バゲッジタグ（１０５）の表面印刷とRFIDタグデータ書込みを行う。
【００２９】
発券したバゲッジタグ（１０５）は、荷物（１０２）に添付され、ベルトコンベア（１１３）にて荷物認証ゲートまで搬送される。荷物認証ゲート（１０７）により、荷物の便名および荷物の持ち主が旅客機に搭乗したかをデータベース（２０７）から取得し、搭乗済みであったら、バゲッジタグのRFIDタグに搭乗確認データを書込み、各便の積込荷物置場（１１０）に仕分ける。荷物の持ち主がまだ搭乗していないまたは不明の場合は、荷物認証ゲート（１０７）で搭乗不明の手荷物としてはねられ、搭乗者不明荷物置場（１０９）に不図示のベルトコンベアで搬送され、仕分ける。積込荷物置場（１１０）に配置された荷物は旅客機（１１１）に順次積込む。
荷物を預けた搭乗者（１０１）は、搭乗確認ゲート（１０８）に搭乗券を挿入することで、システムが搭乗券のデータを読み取り、データベース（２０７）に搭乗確認データが記録され、前述の如く、荷物認証ゲート（107）で認証され、預けた荷物が旅客機（１１１）に積み込まれることになる。
【００３０】
また、バゲッジタグ発行用クライアントコンピュータ（１０４）及び荷物認証ゲート（１０７）、搭乗確認ゲート（１０８）、ホストコンピュータ（１０６）はLANケーブル（１１２）によりネットワーク形成されている。
【００３１】
図2は、本実施例におけるバゲッジタグ発行及び認証システムの全体の情報処理系のブロック図である。
【００３２】
バゲッジタグ発行用クライアントコンピュータ（１０４）はホストコンピュータ（１０６）とLANケーブル（１１２）により接続され、ネットワークが形成されている。バゲッジタグ発行用クライアントコンピュータ（１０４）には、バゲッジタグ発行用アプリケーション（２０４）として図９に示す手順に対応するプログラムがバゲッジタグ発行用クライアントコンピュータ（１０４）内のハードディスク（３０３）に記憶されている。ハードディスク（３０３）に記憶されているプログラムは処理部CPU（３０１）により読み取られ実行される。
【００３３】
バゲッジタグ発行用クライアントコンピュータ（１０４）の磁気カードリーダライタ（２１６）により搭乗券の磁気ストライプに記憶されているIDナンバーから、便名、搭乗者名、性別、年齢、セキュリティ情報等の個人情報を個人情報記録用データベース（１０６）から情報の取得とチェックの記録を行い、取得した個人情報からRFIDタグプリンタ（１０３）用の記録情報を作成し、ＲＦＩＤタグプリンタ（１０３）に記録情報を送信する。
【００３４】
RFIDタグプリンタ（１０３）はバゲッジタグ発行用クライアントコンピュータ（１０４）にＵＳＢケーブル（２１６）により接続され、バゲッジタグ発行用クライアントコンピュータ（１０４）から受信した記録情報から印刷部（２０１）によりバゲッジタグ（１０５）の表面の印刷を行い、続いてRFID通信部（２０２）によりバゲッジタグ（１０５）内部のRFIDタグ（８０２）に足して電子情報の記録を行う。記録終了後、バゲッジタグ（１０５）の排出を行う。なおＲＦＩＤタグプリンタ（１０３）内にも処理部としてCPUがあり、図１１に示す制御手順に対応するプログラムが記憶され、そこで実行される。なお印刷部（２０１）の記録方法として、インクジェット記録をここでは採用する。
バゲッジタグにＲＦＩＤタグが付いていても、インクジェットヘッドがバゲッジタグの表面と離れているので、多少の凹凸が有っても、記録がスムーズに行われる。勿論その点を除けば、他の記録方法でも良い。
【００３５】
磁気カードプリンタ（１１６）は航空券により搭乗手続きをとった際に、発行される搭乗券を印刷する機能をもつ。この搭乗券にもデータを記憶する機能を実現する為に、搭乗券の磁気ストライプに搭乗データとして座席番号、その他の情報を追加して記憶する。なお磁気ストライプの代わりにＲＦＩＤタグを搭乗券に備えても良い。
【００３６】
次にバゲッジタグ発行用クライアントコンピュータ（１０４）について、更に図３に示すブロック図を参照して説明する。
【００３７】
バゲッジタグ発行用クライアントコンピュータ（１０４）は、メモリのＨＤＤに記憶されているプログラムを読み取り、実行してクライアントコンピュータ全体を制御するCPU（３０１）を備え、CPU（３０１）の他に更に、後述するプログラムを実行あるいは種々のデータを記憶するための記憶領域であるメモリのRAM（３０２）、プログラム及び種々のデータを保存しておくためのメモリHDD（３０３）、ディスプレイ出力情報の処理を行うビデオコントローラ（３０６）、ビデオコントローラが処理した情報を出力するディスプレイ（２０５）、プリンタ（１０３）と通信を行うためのUSBインターフェース（３０８）、ネットワークを形成するためのLANインターフェース（３０９）及び情報を入力するキーボードから構成される。
上述のメモリHDD（３０３）内にはクライアントコンピュータ全体の制御プログラムであるＯＳ（３０５）、図9に示すフローに対応するバゲッジタグ発行用アプリケーションプログラム（２０４）等が記憶されている。
【００３８】
次に、上述のバゲッジタグについて更に説明する。バゲッジタグ（１０５）に内蔵されるRFIDタグ（８０２）内の記録情報を図14に示す。  RFIDタグには電子情報として、データベース（２０７）の記録情報を参照する際に使用するIDナンバー（１４０１）、搭乗券の発行日時（１４０２）、搭乗する旅客機の便名（１４０３）、搭乗者名（１４０４）、搭乗者の性別（１２１２）、搭乗者の年齢（１２１３）、バゲッジタグの発効日時（１４０７）、荷物のセキュリティチェック情報（１４０８）、搭乗者が旅客機に搭乗したことを記録する搭乗確認情報（１４０９）等が記憶（記録）されている。
【００３９】
RFIDタグ内蔵バゲッジタグ（１０５）を図8に示す。バゲッジタグ（１０５）はプリンタで印刷可能な台紙（８０１）にRFIDタグ（８０２）を内蔵した形態となっており、RFIDタグ（８０２）には、電子情報を記録するための不揮発性メモリを搭載したICチップ（８０３）とICチップに電気的に接続されたアンテナ（８０４）が封入されている。
【００４０】
情報記録後のバゲッジタグ（１０５）には、通常のバゲッジタグ情報（８０６）のほかに搭乗者情報から選択した広告データ（８０５）が視認情報として表面に印刷され、バゲッジタグ内のRFIDタグに対しては、IDナンバー等の電子情報が記録される。
【００４１】
次に図２に示す荷物認証ゲート（１０７）について図４を参照して説明する。図２に示すように荷物認証ゲートはホストコンピュータ（１０６）とLANケーブルにより接続されネットワーク形成されている。荷物認証ゲート（107）は、バゲッジタグ認証用アプリケーション（２１２）として図１０に示す手順に対応するプログラムが荷物認証ゲート内のハードディスク（４０３）に記憶される。ハードディスク（４０３）に記憶されているプログラムは後述する処理部CPU（401）により読み取り実行され制御・処理される。
【００４２】
荷物認証ゲート（１０７）内のRFIDリーダ/ライタ（２１３）は、バゲッジタグ（１０５）内のRFIDタグ（８０２）に記録されているID情報を受信する。受信したID情報から、ＣＰＵ（４０１）によるバゲッジタグ認証用アプリケーション（２１２）の実行により、ホストコンピュータ（１０６）内のデータベース（２０７）から搭乗確認データ（７０９）を取得し、搭乗を確認し、搭乗している場合は荷物を積込荷物置場（１１０）へ移動させ、RFIDタグに搭乗記録を書き込む。搭乗していない場合は、搭乗者不明荷物置場（１０９）に移動させる。
【００４３】
更に荷物認証ゲート（１０７）を図4のブロック図を参照して説明する。  荷物認証ゲート（１０７）は、前述するバッッゲジタグ認証用プログラムを実行して荷物認証ゲート全体を制御するCPU（４０１）を備え、CPU（401）の他に、後述するプログラムを実行あるいは種々のデータを記憶するための記憶領域であるRAM（４０２）、プログラム及び種々のデータを保存しておくためのHDD（４０３）、バゲッジタグ内のRFIDタグと通信を行うためのRFIDリーダ/ライタ（２１３）、ネットワークを形成するためのLANインターフェース（４０７）から構成される。さらにHDD（４０３）内には荷物認証ゲート全体の制御プログラムであるOS（４０４）、図10に示すフローに対応する荷物認証用アプリケーションプログラム（２１２）等が記憶されている。
【００４４】
次に搭乗認証ゲート（１０８）は、ホストコンピュータ（１０６）とLANケーブルにより接続されネットワーク形成されている。搭乗認証ゲートは、搭乗券認証用アプリケーション（２０９）として図１２に示す手順に対応するプログラムが搭乗認証ゲート内のハードディスク（５０３）に記憶される。ハードディスク（５０３）に記憶されているプログラムは処理部CPUにより実行される。
【００４５】
搭乗認証ゲート内の磁気カードリーダ/ライタ（２１０）は、搭乗券内の磁気テープに記録されているID情報を読み込む。読み込んだID情報から、搭乗券認証用アプリケーション（２０９）の実行により、ホストコンピュータ（１０６）内のデータベース（２０７）に搭乗確認情報を記録する。
【００４６】
叙述の搭乗確認ゲート（１０８）のブロック図を図5に示す。搭乗確認ゲート（１０８）は、前述する搭乗券認証用アプリケーションプログラムを実行して搭乗確認ゲート全体を制御するCPU（５０１）を備え、CPUの他に、後述するプログラムを実行あるいは種々のデータを記憶するための記憶領域であるRAM（５０２）、プログラム及び種々のデータを保存しておくためのHDD（５０３）、搭乗券を確認するための、磁気カードリーダ/ライタ（５０６）、ネットワークを形成するためのLANインターフェース（５０７）から構成される。さらにHDD（５０３）内には搭乗確認ゲート全体の制御プログラムであるOS（５０４）、及び搭乗券認証用アプリケーションプログラム（２０９）等が記憶されている。
【００４７】
次にホストコンピュータ（１０６）は、個人情報及び広告情報を記憶するデータベース（２０７）及びデータベースマネージメントシステム（２１５）として図１３に示す手順に対応するプログラムがホストコンピュータ内のハードディスク（６０３）に記憶されているプログラムは後述する処理部CPUにより実行される。
【００４８】
ホストコンピュータ（１０６）内のデータベースマネージメントシステム（２１５）は、荷物認証ゲートまたは搭乗認証ゲートから受信したコマンドから、データベースへの情報登録または情報検索を行う。
【００４９】
ホストコンピュータ（１０６）について図6のブロック図を参照して説明する。ホストコンピュータ（１０６）は、後述するプログラムを実行してホストコンピュータ全体を制御するCPU（６０１）を備え、CPUの他に、後述するプログラムあるいは種々のデータを記憶するための記憶領域であるRAM（６０２）、プログラム及び種々のデータを保存しておくためのHDD（６０３）、ネットワークを形成するためのLANインターフェース（６０８）から構成される。さらにHDD（６０３）内にはホストコンピュータ全体の制御プログラムであるＯＳ（６０４）、データベースの管理をおこなうデータベースマネージメントシステム（２１５）、個人データおよび広告データを格納しておくデータベース（２０７）等が記憶されている。
【００５０】
上述のデータベース（２０７）について、図７を参照して更に説明する。  データベース（２０７）は、個人情報記録データベース（７００）と広告記録データベース（７１３）の２つのデータベースからなり、個人情報記録用データベースには、個人情報記録用データベース内の搭乗者情報の通し番号であるレコードナンバー（７０１）、バゲッジタグに内蔵されるRFIDタグの記録情報から個人情報を検索する際の参照値であるIDナンバー（７０２）、搭乗券の発効日時（７０３）、搭乗する旅客機の便名（７０４）、搭乗者名（７０５）、搭乗者の性別（７０６）、搭乗者の年齢（７０７）、座席位置（７０８）、手荷物個数（７０９）、バゲッジタグの発効日時（７１０）、荷物のセキュリティチェック情報（７１１）、搭乗者が旅客機に搭乗したことを記録する搭乗確認情報（７１２）が記録されている。
【００５１】
広告データベース（７１３）には、広告情報記録用データベース内の広告情報の通し番号であるレコードナンバー（７１４）、印刷する広告データの選択に使用する発効日（７１５）、印刷する広告データの選択に使用する便名（７１６）、印刷する広告データの選択に使用する搭乗者性別（７１７）、印刷する広告データの選択に使用する搭乗者年齢（７１８）、広告が何枚印刷されたかをカウントするための印刷枚数カウンタ（７１９）、バゲッジタグに印刷するための広告画像データ（７２０）が記録されている。広告に属性情報を附加して、搭乗客ごとに異なる広告を印刷するようにした。また広告は搭乗機ごと(到着地ごと)にも異なる広告を行うことも出来る。
【００５２】
RFID記録情報について図14を用いて説明する。RFID記録情報（１４００）には、個人情報を検索する際の参照値であるIDナンバー（１４０１）、搭乗券の発効日時（１４０２）、搭乗する旅客機の便名（１４０３）、搭乗者名（１４０４）、搭乗者の性別（１４０５）、搭乗者の年齢（１４０６）、座席位置（１４０７）、手荷物個数（１４０８）、バゲッジタグの発効日時（１４０９）、荷物のセキュリティチェック情報（１４１０）、搭乗者が旅客機に搭乗したことを記録する搭乗確認情報（１４１１）が記録されている。
【００５３】
以上の構成からなる実施例の動作をフローチャートに基づいて説明する。まず、バゲッジタグ発行手続きについて図９を用いて説明する。 搭乗券の磁気ストライプに記録されているIDナンバーを磁気カードリーダライタ（１１４）により読み取りを行い（Ｓ９０１）。次に読み取ったIDナンバーに該当する搭乗者の検索命令をホストコンピュータ（１０６）に送信する（Ｓ９０２）。データベース（２０７）内に搭乗者情報が存在するかをホストコンピュータからの回答を待って確認し（Ｓ９０３）、搭乗者の個人情報が存在した場合は、データベース（２０７）から搭乗者の個人情報を取得し記憶する（Ｓ９０４）。
【００５４】
次に、キーボードなどの入力手段により、顧客の希望する座席番号（Ｓ９０４）、手荷物の有無（Ｓ９０６）、個数を入力し（Ｓ９０７）、その結果をディスプレイ（２０５）上に表示する（Ｓ９０７）。
【００５５】
しかる後、搭乗券を磁気カードプリンタ（１１６）でプリントアウトして、出力する（Ｓ９０８）。
次に手荷物の有無から手荷物の存在をチェックして（Ｓ９０９）、取得した個人情報を元に広告検索命令をホストコンピュータ（１０６）に送信し広告情報を取得する（Ｓ９１０）。取得した個人情報と広告情報をクライアントコンピュータ（１０４）のディスプレイ（２０５）に表示を行う（Ｓ９１１）。
【００５６】
次に預かった荷物のセキュリティチェックを行い（Ｓ９１２）、セキュリティチェックの結果が問題無ければ、クライアントコンピュータ（１０４）のディスプレイ（２０５）にＯＫの表示を行い（Ｓ９１３）セキュリティチェックの結果をホストコンピュータ（１０６）の個人情報データベースに記録する（Ｓ９１４）。
【００５７】
次に印刷ボタンが押されたかを判定し個人情報及び広告情報からプリンタの記録データを作成しバゲッジタグを発行する（Ｓ９１５）。バゲッジタグ発行後、手荷物を全て預かったかを判定し（Ｓ９１６）、全て預かった場合は、預かった荷物の個数をデータベースデータベースに記録し（Ｓ９２０）、印刷した広告の数を記録するために広告情報データベース（７１３）内の印刷枚数カウンタ（７１９）をインクリメントする（Ｓ９２１）。
【００５８】
Ｓ９０３で個人情報が存在しなかった場合は、クライアントコンピュータ（１０４）のディスプレイ（２０５）に該当者無し表示を行う（Ｓ９１７）。  Ｓ９１２でＮＧと判定された場合は、クライアントコンピュータ（１０４）のディスプレイに（２０５）にセキュリティチェックＮＧと表示を行い（Ｓ９１８）、セキュリティチェックの結果をホストコンピュータ（１０６）の個人情報データベースに記録する（Ｓ９１９）。
【００５９】
次に上述のRFIDタグプリンタのプリント動作を図１１を用いて説明する。  バゲッジタグ発行用クライアントコンピュータ（１０４）からRFIDタグプリンタで記録情報を受信する（Ｓ１１０１）。RFIDタグプリンタ（１０３）内の印刷部（２０１）により、RFID内蔵バゲッジタグ（１０５）の表面部の印刷を行う（Ｓ１１０２）。表面印刷終了後、RFIDタグプリンタ（１０３）内のRFIDタグ通信部（２０２）によりRFIDバゲッジタグ（１０５）内のRFIDタグに対して個人情報を記録する（Ｓ１１０３）。記録終了後RFIDバゲッジタグ（１０５）を排出する（Ｓ１１０４）。
【００６０】
更に搭乗券のプリント動作について図15を参照して説明する。クライアントコンピュータ（１０４）から搭乗券に関する記録情報を受信したか否かをチェックして（Ｓ１５０１）、受信していれば、搭乗券に必要な情報を印刷する（Ｓ１５０２）。また搭乗券の裏側の磁気ストライプに個人情報を記憶する（Ｓ１５０３）。その後、搭乗券を排出する（Ｓ１５０４）。
【００６１】
次に搭乗確認ゲート（１０８）の動作について図１２を用いて説明する。搭乗者（１０１）が搭乗確認ゲートに搭乗券を挿入したかを判定し（Ｓ１２０１）、挿入した場合は搭乗券の磁気ストライプに記録されているID情報を読込み（Ｓ１２０２）、搭乗券を排出する（Ｓ１２０３）。搭乗券を排出後、取得したID情報よりホストコンピュータ（１０６）内の個人情報を検索する（Ｓ１２０４）。個人情報が存在する場合は（Ｓ１２０５）、搭乗者が搭乗確認ゲート（１０８）を通過したかを確認し（Ｓ１２０６）、通過した場合は、個人情報データベース（７００）内の搭乗確認記録部（７１２）に搭乗と記録する（Ｓ１２０７）。
【００６２】
Ｓ１２０５で個人情報が存在しない場合は搭乗確認ゲートを遮断する（Ｓ１２０８）。
【００６３】
次に前述した各部分の動作とホストコンピュータとの共同動作において、ホストコンピュータ（１０６）の検索動作について図１３を用いて説明する。
【００６４】
ホストコンピュータ（１０６）は、検索命令を受けると、検索命令が個人情報検索命令かを判定する（Ｓ１３０１）。個人情報検索命令の場合は、命令コマンドに含まれるIDナンバーから個人情報データベース（７００）内のIDナンバーから該当ナンバーを検索し（Ｓ１３０２）、検索結果を返信する（Ｓ１３０３）。
【００６５】
Ｓ１３０１で個人情報検索命令ではない場合は、広告検索命令かを判定する（Ｓ１３０４）。広告検索命令の場合は、命令コマンドに含まれる個人情報から、広告情報データベース（７１３）内の該当する広告データを検索し（Ｓ１３０５）、検索結果を返信する（Ｓ１３０６）。
【００６６】
Ｓ１３０４で広告検索命令ではない場合は、個人情報データベース登録命令かを判定し（Ｓ１３０７）、個人情報データベース登録命令の場合は、命令コマンドに含まれるIDナンバーから個人情報データベース内の該当ナンバーを検索し（Ｓ１３０８）、命令コマンドに含まれる記録情報を所定の項目に記録する（Ｓ１３０９）。
【００６７】
Ｓ１３０７で個人情報データベース登録命令ではない場合は、広告情報データベース登録命令かを判定し（Ｓ１３１０）、広告データベース登録命令の場合は、命令コマンドに含まれるレコードNo.から広告情報データベース内の該当する広告データを検索し（Ｓ１３１１）、命令コマンドに含まれる記録情報を所定の項目に記録する（Ｓ１３１２）。
【００６８】
次に荷物認証ゲート（１０７）の動作について図１０を用いて説明する。
【００６９】
手荷物（１０２）が荷物認証ゲートを通過したかを判定し（Ｓ１００１）、通過した場合はバゲッジタグ（１０５）が存在するかを確認する（Ｓ１００２）。
【００７０】
バゲッジタグが存在する場合は、バゲッジタグ（１０５）に内蔵されているRFIDタグ（８０２）に記録されているIDナンバーを読込み（Ｓ１００３）、ホストコンピュータ（１０６）から個人情報を検索する（Ｓ１００４）。
【００７１】
個人情報が存在するかを確認し（Ｓ１００５）、個人情報が存在する場合は、個人情報データベース（７００）内の搭乗確認記録から搭乗者が旅客機（１１１）に搭乗したか確認する（Ｓ１００６）。
【００７２】
搭乗が確認できた場合は、バゲッジタグに内蔵されているRFIDタグ（８０２）の搭乗確認情報記録部（１４１１）に搭乗と記録し（Ｓ１００７）、荷物を積込荷物置場（１１０）へ移動させ旅客機に搬入する（Ｓ１００８）。
【００７３】
Ｓ１００２でバゲッジタグが存在しない場合は、不明荷物として搭乗者不明荷物置場（１０９）へ移動させる。  Ｓ１００４で個人情報が存在しない場合は、不明荷物として搭乗者不明荷物置場（１０９）へ移動させる。Ｓ１００５で搭乗していない場合は、不明荷物として搭乗者不明荷物置場（１０９）へ移動させる。
【００７４】
以上詳細に説明したように、本実施の形態によれば、チェックインカウンタ（１００）での受付の際に各手荷物に識別番号を付与し、航空会社ホストコンピュータ１０６の搭乗券発行情報ファイルに記録するようにしたので、顧客が搭乗手続きを取らない場合、手荷物が機に搭載することは無く。  また、手荷物の搭乗については、コンベアから仕分けコンベアへの移載を、その持ち主である乗客が搭乗ゲートを通過してから行うこととし、チェックに合格しなかった手荷物については、ゲートを訪れた持ち主である乗客により不合格が解消されてから仕分けコンベアに載せることにしたので、仕分けコンベアにはチェックゲートを通過した乗客の手荷物のみが載っている。そして搭乗ゲートを通過した者は搭乗する可能性が大きいので、搭乗者の手荷物でない物が誤って飛行機111に積載されてしまうことが防止されている。
【００７５】
以上実施の形態について説明したが、本発明は上記実施の形態に何ら限定されるものではなく、本発明の趣旨を逸脱しない範囲で種々の設計変更ができることは言うまでもないことである。例えば前記実施の形態では、出発客のための航空券、搭乗券、手荷物の扱いを示したが、乗継ぎ客の手荷物の取り扱いと組み合わせてもよい。また、空港における手荷物の手荷物の扱いとして説明したが、船舶や鉄道、長距離バス等への適用を妨げるものではない。
【００７６】
【発明の効果】
以上述べたように、この発明によれば、空港において、旅客が持参したスーツケースその他の荷物の、搭乗する航空機への運搬、および、到着した航空機から空港ビルへの運搬を、安全且つ迅速に能率的に行うことができる。
【００７７】
さらに、本発明によれば、手荷物のチェックに不合格が発生した場合には、不合格手荷物についての処理を効率化した手荷物受入処理方法及びそのシステムが提供されている。
【００７８】
また、乗客自身の安全チェックが終了した者の手荷物のみを便ごとの仕分け部へ送るようにしたので、搭乗することが確実となった者の手荷物のみが収納庫内に積載され、一旦積載した荷物の引き降ろしの必要が生じない手荷物受入処理方法及びそのシステムが提供されている。
【図面の簡単な説明】
【図１】本実施例におけるバゲッジタグ発行及び認証システムを説明する為の構成概略図である。
【図２】本実施例におけるバゲッジタグ発行及び認証システムを説明する為のブロック図である。
【図３】本実施例において使用するバゲッジタグ発行用クライアントコンピュータを説明する為の構成概略図である。
【図４】本実施例における使用するバゲッジタグ認証システムの動作を説明する為の構成概略図である。
【図５】本実施例における使用する搭乗券認証システムの動作を説明する為の構成概略図である。
【図６】本実施例における使用するホストコンピュータの動作を説明する為の構成概略図である。
【図７】本実施例におけるデータベース内に記録する情報を示した構成図である。
【図８】本実施例において使用するRFIDタグ内蔵バゲッジタグを説明するための構成概略図である。
【図９】本実施例におけるバゲッジタグ発行用アプリケーションの動作を説目するためのフローチャートである。
【図１０】本実施例におけるバゲッジタグ認証システムの動作を説明するためのフローチャートである。
【図１１】本実施例におけるRFIDタグプリンタによるRFIDタグ内蔵バゲッジタグ作成動作を説明するためのフローチャートである。
【図１２】本実施例における搭乗者の搭乗認証システムの動作を説明するためのフローチャートである。
【図１３】本実施例におけるホストコンピュータの検索動作を説明するためのフローチャートである。
【図１４】本実施例におけるバゲッジタグに内蔵されるRFIDタグに記録する情報を示した構成図である。
【図１５】本実施例における磁気カードプリンタによる搭乗券印刷作成動作を説明するためのフローチャートである。
【符号の説明】
１００  チェックインカウンタ
１０１  搭乗者
１０２  荷物
１０３  RFIDタグプリンタ
１０４  バゲッジタグ発行用クライアントコンピュータ
１０５  RFIDタグ内蔵バゲッジタグ
１０６  ホストコンピュータ
１０７  荷物認証ゲート
１０８  搭乗確認ゲート
１０９  搭乗者不明荷物置場
１１０  積込荷物置場
１１１  旅客機
１１２  LANケーブル
１１３  ベルトコンベア
１１４  磁気カードリーダ
１１５  セキュリティチェック装置
１１６  磁気カードプリンタ
２０１  印刷部
２０２  RFID通信部
２０４  バゲッジタグ発行用アプリケーション
２０５  ディスプレイ
２０７  データベース
２０９  搭乗券認証用アプリケーション
２１０  磁気カードリーダ/ライタ
２１２  バゲッジタグ認証用アプリケーション
２１３  RFIDリーダ/ライタ
２１５  データベースマネージメントシステム
２１６  USBケーブル
８０１  バゲッジタグ紙
８０２  RFIDタグ
８０３  ＩＣチップ
８０４  アンテナ
８０５  広告
【図１】
0004076783.tif 000002
【図２】
0004076783.tif 000003
【図３】
0004076783.tif 000004
【図４】
0004076783.tif 000005
【図５】
0004076783.tif 000006
【図６】
0004076783.tif 000007
【図７】
0004076783.tif 000008
【図８】
0004076783.tif 000009
【図９】
0004076783.tif 000010
【図１０】
0004076783.tif 000011
【図１１】
0004076783.tif 000012
【図１２】
0004076783.tif 000013
【図１３】
0004076783.tif 000014
【図１４】
0004076783.tif 000015
【図１５】
0004076783.tif 000016